(57)【特許請求の範囲】
【請求項１】
宅内装置に給電するための給電電源回路であって、一次側入力と二次側出力とが絶縁されているものと、宅内装置への給電電流を検出する電流検出回路と、宅内装置への給電極性を正逆に切替可能なブリッジ構成の給電スイッチとを備え、メタリックの加入者線を介して端末装置と通信を行うべく局側に設置された加入者線終端部の給電回路において、
給電電源回路の一方の出力を地気に接続するための第１のスイッチと、
第１のスイッチにより給電電源回路の一方の出力を地気に接続し、かつ該一方の出力を給電スイッチにより加入者線から開放すると共に、給電電源回路の他方の出力を加入者線の何れか一方に接続することにより該加入者線と地気間に流れる電流を電流検出回路により検出し、得られた検出電流に基づいて該加入者線と地気間の絶縁抵抗を測定する加入者線試験制御部とを備えることを特徴とする給電回路。
【請求項２】
加入者線試験制御部は、第１のスイッチを開放にし、かつ給電電源回路の両出力を各加入者線にそれぞれ接続することにより該加入者線間に流れる電流を電流検出回路により検出し、得られた検出電流に基づいて加入者線間の絶縁抵抗を測定することを特徴とする請求項１記載の給電回路。
【請求項３】
加入者線試験制御部は、給電電源回路の他方の出力を加入者線の何れか一方に接続して後、所定時間内に該加入者線と地気間に流れる過渡電流を電流検出回路により検出し、得られた検出過渡電流に基づいて該加入者線と地気間の容量を測定することを特徴とする請求項１記載の給電回路。
【請求項４】
加入者線試験制御部は、給電電源回路の両出力を各加入者線にそれぞれ接続して後、所定時間内に該加入者線間に流れる過渡電流を電流検出回路により検出し、得られた検出過渡電流に基づいて加入者線間の容量を測定することを特徴とする請求項２記載の給電回路。
【請求項５】
宅内装置に給電するための給電電源回路であって、一次側入力と二次側出力とが絶縁されているものと、宅内装置への給電電流を検出する電流検出回路と、宅内装置への給電極性を正逆に切替可能なブリッジ構成の給電スイッチとを備え、メタリックの加入者線を介して端末装置と通信を行うべく局側に設置された加入者線終端部の給電回路において、
給電電源回路の一方の出力を地気に接続するための第１のスイッチと、
給電電源回路の他方の出力を切断するための第２のスイッチと、
第２のスイッチの出力端と給電電源回路の一方の出力との間を短絡するための第３のスイッチと、
第１のスイッチにより給電電源回路の一方の出力を地気に接続し、かつ該一方の出力を給電スイッチにより加入者線から開放すると共に、第２のスイッチにより給電電源回路の他方の出力を切断し、かつ加入者線の何れか一方を第１及び第３のスイッチを介して地気に接続することにより該加入者線と地気間に流れる電流を電流検出回路により検出し、得られた検出電流に基づいて該加入者線と地気間に加わる外来電圧を測定する加入者線試験制御部とを備えることを特徴とする給電回路。
【請求項６】
加入者線試験制御部は、第１のスイッチを開放にし、かつ給電スイッチにより両加入者線を第３のスイッチの両端側にそれぞれ接続することにより該加入者線間に流れる電流を電流検出回路により検出し、得られた検出電流に基づいて加入者線間に加わる外来電圧を測定することを特徴とする請求項５記載の給電回路。
【発明の詳細な説明】
【０００１】
【産業上の利用分野】
本発明は給電回路に関し、更に詳しくはメタリックの加入者線を介して端末装置と通信を行うべく局側に設置された加入者線終端部の給電回路に関する。
この種の伝送システムでは、サービス提供時の工事、その後の保守及び運用時等において、宅内装置との間の加入者線の接続が正常であるか否かの確認試験を適宜に行う必要があるが、今日、小容量の伝送装置においては、このような試験設備の小型化、低コスト化が要望されている。
【０００２】
【従来の技術】
図８は従来の加入者線試験システムを説明する図で、図において１０は端末装置（ＴＥ）、２０は宅内装置（ＮＴ）、２１，２２は電源回路、ＢＳＷはスイッチ、Ａ，Ｂは加入者線、３０１  〜３０ｎ  は加入者線終端部（ＬＴ）、１は宅内装置２０に給電するための給電電源回路、２は宅内装置２０への給電電流を検出する電流検出回路、３は宅内装置２０への給電極性を正逆に切替可能なブリッジ構成の給電スイッチ、４０は多重分離部（ＭＵＸ）、５０は交換機、６０は試験装置である。
【０００３】
通常、端末装置１０が非通信中（待機中）の状態では、給電スイッチ３の各スイッチはＮＳＷ１  ，ＮＳＷ２  ＝ＯＮ，ＲＳＷ１  ，ＲＳＷ２  ＝ＯＦＦにされており、加入者線Ａ（端子Ｌ１  ）は＋極性に、加入者線Ｂ（端子Ｌ２  ）は−極性に給電されている。従って、宅内装置２０では電源回路２２に給電され、該電源回路２２は給電電圧を端末装置１０に供給する電圧に変換して端末装置１０に給電する。そして、この状態で端末装置１０から発呼要求があると、宅内装置２０で発呼検出を行い、その検出出力でスイッチＢＳＷをＯＮにする。
【０００４】
スイッチＢＳＷがＯＮすると、加入者線Ａ，Ｂに電流Ｉが流れ、この電流Ｉを電流検出回路２で検出する。これにより加入者線終端部３０１  は端末装置１０からの発呼を確認し、その旨を交換機５０の側に伝達すると共に宅内装置２０に対する給電極性を反転（ＮＳＷ１  ，ＮＳＷ２  ＝ＯＦＦ，ＲＳＷ１  ，ＲＳＷ２  ＝ＯＮ）し、今度は宅内装置２０の電源回路２１に給電する。電源回路２１は給電電圧を端末装置１０に供給する電圧及び宅内装置２０の内部回路を動作させる電圧に変換し、これにより内部回路が動作開始する。
【０００５】
従って、上記のような動作を保証するためには、サービス提供時の工事、その後の保守及び運用時等において、宅内装置との間の加入者線の接続が正常であるか否かの確認試験を適宜に行う必要がある。
従来は、試験専用の試験装置６０を外部に独立に設置し、スイッチＩＳＷ１  ，ＩＳＷ２  を介して各加入者線をマルチ接続でこの試験装置６０内に収容すると共に、多重分離部４０からの試験情報に従って対応する加入者線の各種試験を実施し、試験結果の情報を多重分離部４０に返送していた。
【０００６】
【発明が解決しようとする課題】
しかし、大容量の加入者線を収容する伝送装置であれば専用の試験装置６０を別途に備えていても良いが、加入者線収容数が例えば１〜４といった小容量の伝送装置においては、専用の試験装置６０を別途に設備化することはシステムの規模から言ってコスト的、スペース的に好ましくない。
【０００７】
本発明の目的は、加入者線終端部の給電回路が本来備える機能をフル利用すると共に、簡単な構成の付加により高度な加入者線試験を行える給電回路を提供することにある。
【０００８】
【課題を解決するための手段】
上記の課題は図１の構成により解決される。即ち、本発明の給電回路は、宅内装置に給電するための給電電源回路１であって、一次側入力と二次側出力とが絶縁されているものと、宅内装置への給電電流を検出する電流検出回路２と、宅内装置への給電極性を正逆に切替可能なブリッジ構成の給電スイッチ３とを備え、メタリックの加入者線を介して端末装置と通信を行うべく局側に設置された加入者線終端部の給電回路において、給電電源回路１の一方の出力を地気に接続するための第１のスイッチＴＳＷ１と、第１のスイッチＴＳＷ１により給電電源回路１の一方の出力を地気に接続し、かつ該一方の出力を給電スイッチ３により加入者線から開放すると共に、給電電源回路の他方の出力を加入者線の何れか一方に接続することにより該加入者線と地気間に流れる電流を電流検出回路２により検出し、得られた検出電流に基づいて該加入者線と地気間の絶縁抵抗を測定する加入者線試験制御部とを備えるものである。
【０００９】
【作用】
例えば絶縁抵抗試験について具体的に説明する。まず給電スイッチ３のＮSW1 ，ＮSW2 ＝ＯＮ、ＲSW1 ，ＲSW2 ，ＴSW1 ＝ＯＦＦの状態で給電電源回路１より定電圧を供給し、この状態で電流検出回路２（好ましくは、一方向電流検出回路２1 ）が所定以上の電流ＩR を検出した場合は加入者線Ａ−Ｂ間が短絡又は低い抵抗で接続されていることが分かる。またＮSW1 ，ＴSW1 ＝ＯＮ、ＮSW2 ，ＲSW1 ，ＲSW2 ＝ＯＦＦの状態で電流検出回路２が所定以上の電流ＩR を検出した場合は加入者線Ａと地気Ｇ間が短絡又は低い抵抗で接続されていることが分かる。更にＮSW1 ，ＮSW2 ，ＲSW2 ＝ＯＦＦ、ＲSW1 ，ＴSW1 ＝ＯＮの状態で電流検出回路２ が所定以上の電流ＩR を検出した場合は加入者線Ｂと地気Ｇ間が短絡又は低い抵抗で接続されていることが分かる。
【００１０】
同様にして、前記電流検出回路２ の各検出過渡電流に基づいて加入者線Ａ−Ｂ間又は加入者線の各一方Ａ，Ｂと地気Ｇ間の容量を測定可能である。
更には、電流検出回路２（好ましくは、双方向の電流を検出可能な双方向電流検出回路２3 ）を備えると共に、前記給電電源回路１の他方の出力を切断するための第２のスイッチＴSW2 と、該第２のスイッチＴSW2 の出力端と前記給電電源回路１の一方の出力との間を短絡するための第３のスイッチＴSW3 とを更に備え、前記給電スイッチ３及び第１乃至第３のスイッチＴSW1 〜ＴSW3 の制御を行うと共に、前記電流検出回路２ の各検出電流に基づいて加入者線Ａ−Ｂ間又は加入者線の各一方Ａ，Ｂと地気Ｇ間に加わる外来電圧を測定することが可能である。これらの具体的な詳細については後述する。
【００１１】
この場合に、前記第２のスイッチＴＳＷ２  を削除し、代わりに前記給電電源回路１の出力をＯＦＦにするようにしても良い。
更に、前記双方向電流検出回路２３  に代えて、給電電源回路１から加入者線の側に流れる電流を検出する第１の一方向電流検出回路２１  と、加入者線から給電電源回路１の側に流れる電流を検出する第２の一方向電流検出回路２２  とを各給電ラインに夫々設けても良い。
【００１２】
更にまた、前記第１又は第２の一方向電流検出回路２１  又は２２  を削除すると共に、加入者線の各一方Ｂ，Ａを夫々地気Ｇに接続するための第４，第５のスイッチＴＳＷ４  ，ＴＳＷ５  を更に備え、前記給電スイッチ３及び第１乃至第５のスイッチＴＳＷ１  〜ＴＳＷ５  の制御を行うと共に、前記第２又は第１の一方向電流検出回路２２  又は２１  の各検出電流に基づいて加入者線間又は加入者線の各一方と地気間に加わる外来電圧を測定することが可能である。
【００１３】
【実施例】
以下、添付図面に従って本発明による実施例を詳細に説明する。なお、全図を通して同一符号は同一又は相当部分を示すものとする。
図２は実施例の導通試験を説明する図であり、図において２０は宅内装置（ＮＴ）、３０は実施例の加入者線終端部（ＬＴ）、１は宅内装置２０に給電するための給電電源回路、２は宅内装置２０への給電電流を検出する電流検出回路、３は宅内装置２０への給電極性を正逆に切替可能なブリッジ構成の給電スイッチである。
【００１４】
なお、図示しないが、以下に述べる各実施例を通して多重分離部４０は試験を行うべき加入者の加入者線終端部３０に対して各種試験に係る情報を伝送し、加入者線終端部３０は指令に応じた各種試験（スイッチ制御等）を実施すると共に、試験結果（電流検出結果等）の情報を多重分離部４０に伝送する。
導通試験は宅内装置２０が正常に接続されているか否かを検査する試験であり、この試験は図８の従来の加入者線終端部３０１  〜３０ｎ  の給電回路に新たな構成を付加することなく実施できる。
【００１５】
【表１】
0003600987.tif 000002
【００１６】
表１は実施例の導通試験におけるスイッチ設定を示しており、ここで、○印はスイッチＯＮの状態、×印はスイッチＯＦＦの状態を示す。
宅内装置２０の非通信中（待機中）にケース１のスイッチ設定で電流検出回路２に所定以上の電流Ｉが流れず、かつ宅内装置２０の通信中にケース２のスイッチ設定で所定以上の電流Ｉが流れた場合は宅内装置２０は正常に接続されていると判定できる。あるいは宅内装置２０を非通信中としたままで、ケース１のスイッチ設定で所定以上の電流Ｉが流れず、かつケース２のスイッチ設定で所定以上の電流Ｉが流れたことにより、宅内装置２０が正常に接続されていると判定しても良い。逆に、ケース１のスイッチ設定で所定以上の電流Ｉが流れ、かつケース２のスイッチ設定で所定以上の電流Ｉが流れない場合は加入者線Ａ，Ｂの接続はクロスしていると判定できる。更に、ケース１，２のスイッチ設定で共に所定以上の電流Ｉが流れない場合は宅内装置２０は非接続状態であると判定できる。
【００１７】
図３は実施例の絶縁試験を説明する図で、図において２１  は一方向の電流を検出可能な一方向電流検出回路、ＴＳＷ１  はスイッチである。
絶縁試験は加入者線Ａ−Ｂ間及び加入者線の各一方Ａ，Ｂと地気Ｇ間が短絡又は低抵抗で終端されているか否かを検査する試験であり、この場合の給電電源回路１は定電圧出力モードで動作し、かつその−側出力を地気に接続するためにスイッチＴＳＷ１  を設けている。
【００１８】
更に、この例の一方向電流検出回路２１  は本来の電流検出回路２の中に併設されており、ここで電流検出信号ＯＵＴ１  は給電回路の通常の運用時に所定以上の電流Ｉを検出した場合、また電流検出信号ＯＵＴ２  は給電回路による絶縁試験時に所定以上の電流ＩＲ  を検出した場合に夫々出力される信号である。なお、一方向電流検出回路２１  は所定以上を検出するための閾値を所望に設定することで所望以下の絶縁抵抗を検出可能になる。
【００１９】
【表２】
0003600987.tif 000003
【００２０】
表２は実施例の絶縁試験におけるスイッチ設定を示しており、この試験は宅内装置２０を接続し、又は接続しないで行う。以下の各種試験でも同様である。
ケース１のスイッチ設定で検出信号ＯＵＴ２  が出力された場合は加入者線Ａ−Ｂ間が、またケース２のスイッチ設定で検出信号ＯＵＴ２  が出力された場合は加入者線Ａと地気Ｇ間が、またケース３のスイッチ設定で検出信号ＯＵＴ２  が出力された場合は加入者線Ｂと地気Ｇ間が短絡又は低い抵抗で接続されていることが分かる。なお、一方向電流検出回路２１  の検出電流値ＩＲ  をそのまま出力するように構成すれば各絶縁抵抗値を測定できる。
【００２１】
図４は実施例の容量試験を説明する図で、図４の（Ａ）は容量試験の回路図、図４の（Ｂ）は容量試験の動作タイミングチャートを示している。
容量試験は加入者線Ａ−Ｂ間及び加入者線の各一方Ａ，Ｂと地気Ｇ間に容量が存在するか否かを検査する試験である。この場合の試験回路の構成及び条件設定は図３の絶縁試験の場合と同一で良いが、容量に充電される電荷Ｑの大きさを検出するための計数回路４を更に設けている。
【００２２】
今、加入者線の抵抗をｒ、容量をＣとして、これに給電スイッチ３より電圧Ｅを印加すると、一方向電流検出回路２１  には過渡電流ＩＣ  、
ＩＣ  ＝（Ｅ／ｒ）ｅ−ｔ／ｒＣ  
が流れる。この過渡電流ＩＣ  は時定数ｒＣで減衰するから、容量Ｃが大きいほど所定閾値ＩＴＨを超えている時間が長い。そこで、計数回路４は検出信号ＯＵＴ２  がＩＣ  ＞ＩＴＨの条件を満足している間に所定周波数のクロック信号ＣＫを計数すると共に、そのカウント値が所定閾値ＮＴＨを超えた場合は検出信号ＯＵＴ２  ´を出力する。しかる後、計数回路４は多重分離部４０からのリセット信号ＲＳによりリセットされる。従って、所定以上の容量が存在するか否かを検査できる。
【００２３】
【表３】
0003600987.tif 000004
【００２４】
表３は実施例の容量試験におけるスイッチ設定を示している。
ケース１のスイッチ設定で検出信号ＯＵＴ２  ´が出力された場合は加入者線Ａ−Ｂ間に、またケース２のスイッチ設定で検出信号ＯＵＴ２  ´が出力された場合は加入者線Ａと地気Ｇ間に、またケース３のスイッチ設定で検出信号ＯＵＴ２  ´が出力された場合は加入者線Ｂと地気Ｇ間に所定以上の容量が存在することが分かる。なお、計数回路４のカウント値をそのまま出力するように構成すれば各容量値を測定できる。
【００２５】
図５の（Ａ）は第１実施例の外来電圧試験の回路図である。
外来電圧試験は加入者線Ａ−Ｂ間及び加入者線の各一方Ａ，Ｂと地気Ｇ間に外部より電圧が印加されているか否かを検査する試験であり、外来電圧の印加状態は図示の如くケース１〜６の場合が考えられる。
この場合は給電電源回路１の−側出力を地気に接続するためのスイッチＴＳＷ１  の他に、給電電源回路１の＋側出力を切断するためのスイッチＴＳＷ２  と、該スイッチＴＳＷ２  の出力端と給電電源回路１の−側出力との間を短絡するためのスイッチＴＳＷ３  とを更に備え、かつ双方向電流検出回路２３  は双方向の電流を検出可能である。
【００２６】
図５の（Ｂ）は一例の双方向電流検出回路２３  の回路図である。
双方向電流検出回路２３  と加入者線Ａ，Ｂとの間の絶縁のためにフォトアイソレータ回路を使用している。加入者線の片線にダイオードＤ１  ，Ｄ３  を相反する方向に直列に接続し、かつ該ダイオードＤ１  ，Ｄ３  と並列に夫々向きが逆となるようなダイオードＤ４  ，Ｄ２  を接続し、ダイオードＤ１  ，Ｄ３  とダイオードＤ４  ，Ｄ２  の各接続点間にフォトアイソレータ回路を接続している。
【００２７】
かかる構成では、電流ＩＶ１はダイオードＤ１  ，電流バイアス抵抗ＲＢ  ，フォトダイオードＰＤ  ，ダイオードＤ２  を経由して流れ、該電流ＩＶ１の値が所定以上になるとフォトダイオードＰＤ  に光結合したフォトトランジスタＱがＯＮとなり、電流検出信号ＯＵＴ２  を出力する。また電流ＩＶ２はダイオードＤ３  ，電流バイアス抵抗ＲＢ  ，フォトダイオードＰＤ  ，ダイオードＤ４  を経由して流れ、該電流ＩＶ２の値が所定以上になるとフォトトランジスタＱがＯＮとなり、電流検出信号ＯＵＴ２  を出力する。従って、給電回路の片線に流れる双方向の電流を検出可能である。
【００２８】
【表４】
0003600987.tif 000005
【００２９】
表４は第１実施例の外来電圧試験におけるスイッチ設定を示している。
ケース１又は２のスイッチ設定で検出信号ＯＵＴ２  が出力された場合は加入者線Ａと地気Ｇ間に、またケース３又は４のスイッチ設定で検出信号ＯＵＴ２  が出力された場合は加入者線Ｂと地気Ｇ間に、またケース５又は６のスイッチ設定で検出信号ＯＵＴ２  が出力された場合は加入者線Ａ−Ｂ間に外来電圧が印加されていることが分かる。なお、検出電流ＩＶ１，ＩＶ２の値をそのまま出力するように構成すれば外来電圧の値を測定できる。
【００３０】
図６の（Ａ）は第２実施例の外来電圧試験の回路図である。
この例では２つの一方向電流検出回路２１  ，２２  を備え、夫々を給電回路の両線に付加している。
図６の（Ｂ）は一例の一方向電流検出回路２１  ，２２  の回路図である。
一方向電流検出回路２１  ，２２  と加入者線Ａ，Ｂとの間の絶縁のためにフォトアイソレータ回路を使用している。２つのフォトアイソレータ回路を夫々電流検出の向きが相反する方向となるように接続し、かつ各フォトアイソレータ回路に並列に夫々逆方向の電流を通過させるダイオードＤ１  ，Ｄ２  を接続する。更にフォトトランジスタＱ１  ，Ｑ２  の各コレクタをワイヤードＯＲし、共通の負荷抵抗ＲＣ  を介して電源電圧ＶＣＣに接続している。
【００３１】
かかる構成では、電流ＩＶ１はフォトダイオードＰＤ１，電流バイアス抵抗ＲＢ１を経由して流れ、該電流ＩＶ１の値が所定以上になるとフォトダイオードＰＤ１に光結合したフォトトランジスタＱ１  がＯＮとなり、電流検出信号ＯＵＴ２  を出力する。また電流ＩＶ２はフォトダイオードＰＤ２，電流バイアス抵抗ＲＢ２を経由して流れ、該電流ＩＶ２の値が所定以上になるとフォトダイオードＰＤ２に光結合したフォトトランジスタＱ２  がＯＮとなり、電流検出信号ＯＵＴ２  を出力する。従って、給電回路の両線に流れる各順方向の電流を検出可能である。
【００３２】
【表５】
0003600987.tif 000006
【００３３】
表５は第２実施例の外来電圧試験におけるスイッチ設定を示している。
ケース１又は２のスイッチ設定で検出信号ＯＵＴ２  が出力された場合は加入者線Ａと地気Ｇ間に、またケース３又は４のスイッチ設定で検出信号ＯＵＴ２  が出力された場合は加入者線Ｂと地気Ｇ間に、またケース５又は６のスイッチ設定で検出信号ＯＵＴ２  が出力された場合は加入者線Ａ−Ｂ間に外来電圧が印加されていることが分かる。
【００３４】
図７は第３実施例の外来電圧試験を説明する図である。
第３実施例では加入者線の各一方Ａ，Ｂを夫々地気Ｇに接続するためのスイッチＴＳＷ５  ，ＴＳＷ４  を更に備えており、その結果、電流の検出は一方向電流検出回路２１  のみで行える。
【００３５】
【表６】
0003600987.tif 000007
【００３６】
表６は第３実施例の外来電圧試験におけるスイッチ設定を示している。
ケース１又は２のスイッチ設定で検出信号ＯＵＴ２  が出力された場合は加入者線Ａと地気Ｇ間に、またケース３又は４のスイッチ設定で検出信号ＯＵＴ２  が出力された場合は加入者線Ｂと地気Ｇ間に、またケース５又は６のスイッチ設定で検出信号ＯＵＴ２  が出力された場合は加入者線Ａ−Ｂ間に外来電圧が印加されていることが分かる。
【００３７】
【表７】
0003600987.tif 000008
【００３８】
表７は図７の第３実施例の外来電圧試験回路において一方向電流検出回路２１  の代わりに一方向電流検出回路２２  を給電スイッチ３とスイッチＴＳＷ１  の間の給電ラインに設けた場合（不図示）のスイッチ設定を示している。
同様にして、ケース１又は２のスイッチ設定で検出信号ＯＵＴ２  が出力された場合は加入者線Ａと地気Ｇ間に、またケース３又は４のスイッチ設定で検出信号ＯＵＴ２  が出力された場合は加入者線Ｂと地気Ｇ間に、またケース５又は６のスイッチ設定で検出信号ＯＵＴ２  が出力された場合は加入者線Ａ−Ｂ間に外来電圧が印加されていることが分かる。
【００３９】
なお、図５〜図７の構成ではスイッチＴＳＷ２  が設けられているが、給電電源回路１自身の出力をＯＦＦすることが可能であればスイッチＴＳＷ２  を設ける必要は無い。
また、図５〜図７の構成により絶縁試験、容量試験を行っても良い。
また、電流検出回路２１  〜２３  の構成は上記実施例のものに限定されない。
【００４０】
また、上記複数の好適なる実施例を示したが、本発明思想を逸脱しない範囲内で、構成及び組み合わせの様々な変更が行えることは明らかである。
【００４１】
【発明の効果】
以上述べた如く本発明によれば、加入者線終端部の給電回路が本来備える機能をフル利用すると共に、スイッチ、電流検出回路等を付加するだけの簡単な構成で高度な加入者線試験が可能となる。従って、特に小容量の伝送装置においては専用の試験装置を別個に設ける必要が無く、もって装置の小型化、低コスト化に寄与するところが大きい。
【図面の簡単な説明】
【図１】図１は本発明の原理的構成図である。
【図２】図２は実施例の導通試験を説明する図である。
【図３】図３は実施例の絶縁試験を説明する図である。
【図４】図４は実施例の容量試験を説明する図である。
【図５】図５は第１実施例の外来電圧試験を説明する図である。
【図６】図６は第２実施例の外来電圧試験を説明する図である。
【図７】図７は第３実施例の外来電圧試験を説明する図である。
【図８】図８は従来の加入者線試験システムを説明する図である。
【符号の説明】
１  給電電源回路
２，２１  〜２３      電流検出回路
３  給電スイッチ
ＴＳＷ１  〜ＴＳＷ５    スイッチ
【図１】
0003600987.tif 000009
【図２】
0003600987.tif 000010
【図３】
0003600987.tif 000011
【図４】
0003600987.tif 000012
【図５】
0003600987.tif 000013
【図６】
0003600987.tif 000014
【図７】
0003600987.tif 000015
【図８】
0003600987.tif 000016